(57)【特許請求の範囲】
【請求項１】
キャビネットを構成する基板の上面に載置され、このキャビネットの前方開口を通じて出し入れ自在な複数の貯液容器と、顕微鏡標本とすべき試料を貼着したスライドガラスを複数枚収納自在な染色籠と、この染色籠を係脱自在で上下左右方向に移動自在な吊下腕を有する駆動装置とを備え、この駆動装置により上記染色籠を、所定の順番に従って所定の時間ずつ上記貯液容器内に進入させる事により上記試料を貯液容器内の液体に浸漬し、この試料を染色する顕微鏡標本の自動染色装置に於いて、上記複数の貯液容器は、全部が、それぞれ上記キャビネットの前方開口を通じて、このキャビネットの前方から出し入れ自在であり、所定の順番に行なう染色処理行程の最初に上記染色籠が存在する位置、並びにこの染色処理行程の最後にこの染色籠が存在する位置を、それぞれ複数個所ずつ、任意に設定可能とした事を特徴とする顕微鏡標本の自動染色装置。
【請求項２】
キャビネットは、フレームの上面、左右両側面、並びに背面をパネルにより覆うと共に、下面を下板により塞ぐ事で構成された、前面が開口した直方体状であり、上記キャビネットの上下方向中間部分に上板が、上記下板と平行に固定されており、この下板の上面に載置した複数の貯液容器の上端部と上記上板の下面との間に、染色籠を吊した吊下腕を、この染色籠の下端部をこれら各貯液容器の上端部に衝突させる事なく、これら各貯液容器の配列方向に移動自在な高さ寸法を有する下側移動空間を、上記上板の上面に載置した複数の貯液容器の上記端部と上記キャビネットの上面を仕切るパネルの下面との間に、上記染色籠を吊した上記吊下腕を、この染色籠の下端部を上記各貯液容器の上端部に衝突させる事なく、これら各貯液容器の配列方向に移動自在な高さ寸法を有する上側移動空間を、上記上板に、上記染色籠を吊した上記吊下腕を、この染色籠ごと上下方向に通過自在な通路を、それぞれ設けると共に、この吊下腕を、この通路を通じて、上記下側移動空間と上記上側移動空間との間を行き来自在としている、請求項１に記載した顕微鏡標本の自動染色装置。
【発明の詳細な説明】
【０００１】
【発明の属する技術分野】
本発明に係る顕微鏡標本の自動染色装置は、病医院や各種研究所に於いて、組織片或は細胞（本明細書に於いては、これらをまとめて試料とする。）を顕微鏡観察すべく、染色処理するのに利用される顕微鏡標本の自動染色装置の改良に関する。
【０００２】
【従来の技術】
病医院に於いて、患部から切除した試料を顕微鏡により観察し、病気の診断をする事が広く行なわれている。この様な顕微鏡観察による病気の診断を容易に行なえる様にする為、スライドガラスに貼着した試料を染色する事が行なわれており、この染色作業を自動的に行なう自動染色装置も種々提供されている。
【０００３】
図５は、この様な自動染色装置の１例として、実開平５−６６５４３号公報に記載されたものを示している。キャビネット１の上部に水平方向に設けた基板の上面には、染色処理に必要な各種薬液又は洗浄用の水を貯溜した、上方が開口した多数の貯液容器２、２を整列させた状態で載置している。貯液容器２、２の上方には、基板の左右方向（図５のａ方向）に亙る水平移動自在な移動梁３と、この移動梁３に沿う移動自在とする事により、基板の前後方向（図５のｂ方向）に亙る水平移動自在な移動柱４と、この移動柱４に沿って昇降自在な吊下腕５とから成る三次元駆動装置を設けている。この吊下腕５には、顕微鏡標本とすべき試料を貼着したスライドガラスを複数枚収納自在な染色籠（図５には省略）を係脱自在である。そして、吊下腕５に染色籠を吊り下げた状態でこの吊下腕５を下降させる事により、この染色籠に収納した上記複数枚のスライドガラスを、上記各貯液容器２、２内に貯溜した薬液又は洗浄水に浸漬自在である。
【０００４】
上述した様な自動染色装置を用いて試料の染色処理を行なう場合、先ず、染色すべき試料を貼着したスライドガラスを１乃至複数枚収納した染色籠を、吊下腕５に係合させる。尚、周知の様に、染色籠に収納した状態で各スライドガラスは、鉛直方向に向く。染色籠を吊下腕５に係合させたならば、次いで、上記三次元駆動装置を駆動する。そして、この三次元駆動装置を構成する移動梁３及び移動柱４、並びに吊下腕５が、図示しない制御器からの信号に基づいて移動し、上記染色籠を、所定の順番に従って所定の時間ずつ貯液容器２、２内の薬液又は洗浄水に浸漬する。この様な作業を所定回数繰り返す事により、試料を染色する。尚、図５に示した例は、上記各貯液容器２、２内に貯溜された薬液のうち、使用頻度の高い薬液を自動的に入れ替えるべく、前記キャビネット１内に入れ替え用の薬液を貯溜したタンク６、６を収納した構造を示している。但し、この様なタンク６、６は、必ずしも必要ではない。この様なタンク６、６を収納するキャビネット１を必要としない顕微鏡標本の自動染色装置の場合には、次述する特公平６−１００５２２号公報に記載された顕微鏡標本の自動染色装置の様に、机の上に於ける程度の高さ寸法に構成できる。
【０００５】
又、上述した様な顕微鏡標本の自動染色装置を用いて、複数の染色籠を並行して処理し、より多くの試料を効率良く染色する、多重染色処理も、例えば特公平６−１００５２２号公報に記載されている様に、従来から知られている。即ち、試料を貼着したスライドガラスを収納した染色籠は、所定の時間薬液内に浸漬しておくが、この浸漬中、吊下腕５がこの染色籠との係合を外し、別の染色籠と係合してこの別の染色籠を所定の貯液容器２内に入れる。そして、同じく吊下腕５との係合を外し、この別の染色籠を所定時間だけ薬液に浸漬する。同様の作業を複数の染色籠に就いても行ない、所定時間の浸漬を終えた染色籠があれば、吊下腕５がこの染色籠と係合し、次の貯液容器２に運ぶ。この様な動作を繰り返す事により、複数の染色籠を並行して処理できる為、前述した通常の処理に比べ、より多くの試料を短時間の内に染色できる。この様な多重染色処理は、上記制御器に予め処理手順を記憶させる事で可能である。
【０００６】
更に、図５に示した構造では、染色籠を収納した貯液容器を基板上に出し入れする作業を上方から行なうが、前方から行なう構造を有する顕微鏡標本の自動染色装置も、国際特許公開ＷＯ９３／２３７３２に記載されている様に、従来から知られている。但し、この国際特許公開ＷＯ９３／２３７３２に記載された構造の場合には、所定の順番に行なう染色処理行程の最初に上記染色籠が存在する位置、並びにこの染色処理行程の最後に上記染色籠が存在する位置を固定しており、任意に設定できない。言い換えれば、所定の位置に置いた染色籠は、所定の染色処理を経た後、別の所定位置に置かれる。
【０００７】
【発明が解決しようとする課題】
染色籠を収納した貯液容器を基板上に出し入れする作業を上方から行なう構造の場合には、ある染色籠に収納したスライドガラスに貼着した試料の染色処理作業を行なっている間に、別の染色籠を収納した貯液容器を基板上に出し入れしにくい場合がある。これに対して、国際特許公開ＷＯ９３／２３７３２に記載されている様に、前方から出し入れする構造であれば、ある染色籠に収納したスライドガラスの貼着した試料の染色処理作業を行なっている間に、別の染色籠を収納した貯液容器を基板上に出し入れする作業を容易に行なえる。ところが、この国際特許公開ＷＯ９３／２３７３２に記載された構造の場合には、最初に上記染色籠が存在する位置、並びにこの染色処理行程の最後に上記染色籠が存在する位置を固定して、任意に設定できない為、複数の染色籠の処理を同時に行なう場合等、先に処理する染色籠を別位置に移し替えた吊下腕が再び戻ってくる以前に、作業者が次の染色籠を収納した貯液容器を基板上に設置する必要がある為、面倒である。又、染色処理の終了時にも、先に染色処理を終了した染色籠を収納した貯液容器を、後から染色処理を終了する染色籠が送られてくる以前に取り出す必要がある為、やはり作業者に面倒をかける。
本発明の顕微鏡標本の自動染色装置は、この様な面倒をなくすべく発明したものである。
【０００８】
【課題を解決する為の手段】
本発明の顕微鏡標本の自動染色装置は、前述した従来装置と同様に、キャビネットを構成する基板の上面に載置され、このキャビネットの前方開口を通じて出し入れ自在な複数の貯液容器と、顕微鏡標本とすべき試料を貼着したスライドガラスを複数枚収納自在な染色籠と、この染色籠を係脱自在で上下左右方向に移動自在な吊下腕を有する駆動装置とを備える。そして、この駆動装置により上記染色籠を、所定の順番に従って所定の時間ずつ上記貯液容器内に進入させる事により上記試料を貯液容器内の液体に浸漬し、この試料を染色する。
【０００９】
特に、本発明の顕微鏡標本の自動染色装置に於いては、上記複数の貯液容器は、全部が、それぞれ上記キャビネットの前方開口を通じて、このキャビネットの前方から出し入れ自在である。そして、所定の順番に行なう染色処理行程の最初に上記染色籠が存在する位置、並びにこの染色処理行程の最後にこの染色籠が存在する位置を、それぞれ複数個所ずつ、任意に設定可能としている。
【００１０】
【作用】
上述の様に構成される、本発明の顕微鏡標本の自動染色装置を用いて、染色籠に収納した複数枚のスライドガラスに添着した試料を染色するには、先ず、このスライドガラスを収納した染色籠を貯液容器に入れ、この貯液容器を、染色処理行程の最初に上記染色籠が存在する位置として設定した位置に押し込む。次いで、駆動装置を駆動して上記吊下腕により上記染色籠を、所定の順番に従って所定の時間ずつ貯液容器内の薬液又は洗浄水に浸漬する。この様な作業を所定回数繰り返す事により、試料を染色する。染色処理を完了した染色籠は、染色処理行程の最後に上記染色籠が存在する位置に置かれた貯液容器内に挿入される。
【００１１】
特に、本発明の顕微鏡標本の自動染色装置の場合には、所定の順番に行なう染色処理行程の最初に上記染色籠が存在する位置、並びにこの染色処理行程の最後に上記染色籠が存在する位置を、それぞれ複数個所ずつ任意に設定可能である為、複数の染色籠に収納したスライドガラスに貼着した試料の染色処理を並行して行なう作業が容易になる。即ち、前述の国際特許公開ＷＯ９３／２３７３２に記載された構造の様に、先に処理する染色籠を別位置に移し替えた吊下腕が再び戻ってくる以前に作業者が次の染色籠を収納した貯液容器を基板上に設置したり、染色処理の終了時に、先に染色処理を終了した染色籠を収納した貯液容器を、後から染色処理を終了する染色籠が送られてくる以前に取り出す必要もなくなる。
【００１２】
【発明の実施の形態】
図１〜４は、本発明の実施の形態の１例を示している。キャビネット７は、フレームの上面、左右両側面、並びに背面（後面）をパネルにより覆うと共に、下面を下板８により塞ぐ事で、前面のみが開口した直方体状に形成している。又、上記キャビネット７の上下方向中間部分には上板９を、上記下板８と平行に固定している。そして、これら下板８及び上板９の上面に、それぞれが貯液容器である、複数の水洗容器１０と薬液容器１１、１１とを載置している。
【００１３】
このうちの水洗容器１０の下部内側には、洗浄水を供給する為のノズル１２を挿入している。この為に上記水洗容器１０の壁面で上記ノズル１２と整合する部分には、挿入孔（図示省略）を設けている。上記水洗容器１０を上記下板８上に載置する際には上記ノズル１２を、上記挿入孔を通じて上記水洗容器１０の下部内側に挿入する。挿入した状態でこのノズル１２の基端部外周面と上記挿入孔の内周縁との間の水密は、例えばこの挿入孔の内周縁部に係止したＯリング等により保持する。尚、上記ノズル１２の側面には、このノズル１２の長さ方向に亙って多数のノズル孔を形成している。上記水洗容器１０内に染色籠１３（後述する図２参照）を進入させた状態でこのノズル孔からは、上記水洗容器１０の下部内面に向けて水を噴出し、この水洗容器１０内に水流を惹起させる。これに対して、上記各薬液容器１１、１１には、染色籠１３に収納したスライドガラスに貼着した試料を染色処理する為に必要な薬液を貯溜している。
【００１４】
尚、図示の例では、上記ノズル１２は、上記下板８の上面奥端部に水平方向に配設し、水道等の給水設備に通じさせた給水マニホルド１６の前面に、袋ナット１７により、着脱自在に設けている。即ち、上記給水マニホルド１６の前面には、複数（図示の例では５個所）の吐出口を設け、各吐出口に上記ノズル１２を着脱自在としている。又、ノズル１２を装着しない吐出口は、底部を塞がれた袋ナット状のプラグ１８、１８により塞ぎ、当該吐出口の前方に、上記薬液容器１１を載置できる様にしている。尚、上記ノズル１２から上記水洗容器１０内に噴出し、この水洗容器１０から溢れ出た水は、上記下板８の上面に流れ出し、図示しない排水管を通じて、排水設備に排出する。
【００１５】
本例に使用する染色籠１３は、図２に示す様に、上記スライドガラスを収納自在な収納部１４と、この収納部１４の上部にその基端部を枢支した把手部１５とから成る。周知の様に上記収納部１４は、複数枚のスライドガラスを、それぞれ鉛直方向に立て、隣り合うスライドガラス同士の間に隙間を介在させた状態で収納自在である。又、この収納部１４は、スライドガラスを支持できるだけの枠状構造で、液体を貯溜した貯液容器中に進入させる事により、収納したスライドガラスをこの液体に浸漬自在である。更に、上記把手部１５は、上記収納部１４の外側面上端部にそれぞれの基端部を枢支した１対の揺動腕部１９、１９と、これら両揺動腕部１９、１９同士の間に掛け渡した係止腕部２０とから成る。この係止腕部２０の両端部は、それぞれ上記収納部１４の長さ方向両端面から突出している。又、この係止腕部２０の両端部下面には、それぞれ係止突起２１、２１を形成している。
【００１６】
上述の様な染色籠１３の収納部１４にスライドガラスを出し入れする際には、上記各揺動腕部１９、１９をその基端部を中心に揺動させる事により、上記係止腕部２０を上記収納部１４の上端開口部から側方に退避させる。これに対して、上記収納部１４に試料を貼着したスライドガラスを収納し、この試料の染色処理を行なう際には、図２に示す様に、上記係止腕部２０を上記収納部１４の上端開口の上方に位置させる。
【００１７】
一方、前記キャビネット７内には、上記染色籠１３をこのキャビネット７内で、上下左右方向に移動させる為の駆動装置２２を設けている。本例の場合にこの駆動装置２２は、上記キャビネット７の奥端部にこのキャビネット７の左右方向に亙り配置したガイドレール３０に沿って水平移動自在な移動柱２３と、この移動柱２３に沿って昇降自在な吊下腕２４とから成る。これら移動柱２３を水平移動させる機構、並びに吊下腕２４を昇降させる機構は、それぞれ従来から周知の各種機構を採用できる。例えば、リニアモータ、或は駆動プーリと従動プーリとの間に掛け渡したケーブルの中間部を移動柱２３或は吊下腕２４に結合するケーブル駆動機構等を採用できる。特に、ケーブル駆動機構は、電動機を、薬液容器１１から発生した薬液蒸気に曝らされない部分に設置できる為、好ましく使用できる。何れにしても上記駆動装置２２は、上記移動柱２３と吊下腕２４とを適宜移動させる事により上記染色籠１３を、所定の順番に従って所定の時間ずつ、前記下板８及び上板９の上面に載置した上記薬液容器１１、１１、水洗容器１０内に進入させる。そして、これら各容器１１、１０内に貯溜した薬液或は洗浄水に上記染色籠１３に収納したスライドガラスに貼着した試料を浸漬し、この試料を染色する。
【００１８】
尚、上記吊下腕２４の前後両端部には、それぞれ上記染色籠１３の係止腕部２０の両端部を係止自在な鉤部２５、２５を設けている。この様な吊下腕２４により上記染色籠１３を吊り上げる際には、この吊下腕２４を上記係止腕部２０の下側にまで移動させた状態で、上記各鉤部２５、２５をこの係止腕部２０の両端部で前記各係止突起２１、２１よりも外端寄り部分に進入させる。次いで、上記吊下腕２４を上昇させれば、上記染色籠１３を吊り上げる事ができる。この吊下腕２４から染色籠１３を外す場合の動作は、これと逆に行なう。
【００１９】
この様に、上記下板８及び上板９の上面に載置した上記薬液容器１１、１１、水洗容器１０内に上記染色籠１３を進入させるべく、上記下板８の上面に載置した水洗容器１０及び薬液容器１１、１１の上端部と上記上板８の下面との間には、下側移動空間２６を設けている。この下側移動空間２６の高さ寸法Ｈ26は、上記染色籠１３を吊した上記吊下腕２４を、この染色籠１３の下端部を上記各容器１０、１１の上端部に衝突させる事なく左右方向に移動自在なだけの大きさを有する。又、上記上板９の上面に載置した薬液容器１１、１１と、前記キャビネット７の上面を仕切る天板２７の下面との間には、上側移動空間２８を設けている。この上側移動空間２８の高さ寸法Ｈ28も、上記染色籠１３を吊した上記吊下腕２４を、この染色籠１３の下端部を上記各容器１０、１１の上端部に衝突させる事なく左右方向に移動自在なだけの大きさを有する。更に、上記上板９の左右方向中央部には、上記染色籠１３を吊した上記吊下腕２４を、この染色籠１３ごと上下方向に亙って通過自在な、矩形の通路２９を設けている。
【００２０】
上述の様な染色の為に必要とする種々の機構を組み込んだ前記キャビネット７の前方開口は、図３〜４に示す様に、蓋体３１により開閉自在である。この蓋体３１は、半透明のアクリル板等により造られたもので、左右１対の腕片３２、３２により、上記キャビネット７の上部に、揺動自在に支持している。そして、この蓋体３１を下降させた状態では、上記キャビネット７の前方開口のうち、下端部を除く部分を塞ぐ。又、上記蓋体３１を下降させた状態でもこの蓋体３１の下側には、前記下板８の上面に載置した水洗容器１０及び薬液容器１１、１１を出し入れ自在な隙間開口３３が残る。従って、図３に示す様に上記蓋体３１を下降させた状態でも、上記下板８の上面に載置した水洗容器１０及び薬液容器１１、１１は、入れ替え自在である。これに対して、図４に示す様に上記蓋体３１を上昇させた状態では、上記下板８の上面に載置した水洗容器１０及び薬液容器１１、１１だけでなく、前記上板９の上面に載置した薬液容器１１、１１も入れ替え自在である。尚、必要であれば、上記隙間開口３３も、上記蓋体３１と別の蓋体により開閉自在としても良い。
【００２１】
本発明の顕微鏡標本の自動染色装置の場合には、上記下板８の上面に載置した水洗容器１０及び薬液容器１１、１１のうちから、所定の順番に行なう染色処理行程の最初に上記染色籠１３を入れる貯液容器、並びにこの染色処理行程の最後に上記染色籠１３を入れる貯液容器を、それぞれ複数個所ずつ設定可能としている。この設定作業は、前記キャビネット７の前面に設けた制御パネル３４に設けたスイッチ（図示省略）を操作する事により行なう。
【００２２】
上述の様に構成される、本発明の顕微鏡標本の自動染色装置を用いて、染色籠１３に収納した複数枚のスライドガラスに添着した試料を染色するには、先ず、このスライドガラスを収納した染色籠１３を入れた貯液容器を、下板８上面の所定位置に挿入する。そして、この貯液容器の上方に前記吊下腕２４を移動させ、この吊下腕２４の鉤部２５、２５を上記染色籠１３の係止腕部２０に係合させる。この係合作業は、例えば何れかの水洗容器１０に上記染色籠１３を挿入した状態で、上記吊下腕２４をこの染色籠１３の上方に移動させる事により行なう。次いで、駆動装置を構成する前記移動柱２３と上記吊下腕２４とを適宜駆動して上記染色籠１３を、所定の順番に従って所定の時間ずつ薬液容器１１、１１内の薬液又は水洗容器１０内の洗浄水に浸漬する。この様な作業を所定回数繰り返す事により、試料を染色する。
【００２３】
即ち、上記吊下腕２４は、下側移動空間２６又は上側移動空間２８を左右方向に移動しつつ、所定の水洗容器１０又は薬液容器１１の上方で昇降する事により、上記染色籠１３を下板８の上面に載置した水洗容器１０又は薬液容器１１、１１、或は上板９の上面に載置した薬液容器１１、１１内の薬液に浸漬する。この様にして行なう染色行程の進行に伴って上記染色籠１３を、上記上板９の上面に載置した薬液容器１１内の薬液から上記下板８の上面に載置した水洗容器１０内の洗浄水又は薬液容器１１内の薬液に、或は上記下板８の上面に載置した水洗容器１０内の洗浄水又は薬液容器１１内の薬液から上記上板９の上面に載置した薬液容器１１内の薬液に、それぞれ移し替える必要が生じる。この際に上記吊下腕２４は、上記染色籠１３を吊り下げたまま、上記上板９の左右方向中央部に設けた前記通路２９を通過して、上記下側移動空間２６と上側移動空間２８との間を行き来する。
【００２４】
複数の染色籠１３を使用して、同種の、又は異なる種類の染色方法を同時進行させる際には、何れかの染色籠１３を何れかの水洗容器１０又は薬液容器１１に進入させた状態で、当該染色籠１３から吊下腕２４を外し、他の染色籠１３の移動を行なわせる。この際、吊下腕２４を染色籠１３から外すのに先立って、この吊下腕２４を細かく昇降させ、上記染色籠を洗浄水又は薬液中で震盪させて、当該染色籠１３に収納したスライドガラスに貼着した試料と洗浄水又は薬液とを馴染ませる。
【００２５】
この様な作業を所定回数繰り返す事により、試料を染色する。染色処理を完了した染色籠１３は、染色処理行程の最後に上記染色籠１３が存在する位置に置かれた貯液容器内に挿入する。そこで、この染色処理を完了した染色籠１３を入れた貯液容器を、前記隙間開口３３から取り出す。特に、本発明の顕微鏡標本の自動染色装置の場合には、所定の順番に行なう染色処理行程の最初に上記染色籠１３が存在する位置、並びにこの染色処理行程の最後に上記染色籠１３が存在する位置を、前記下板８の上面に載置された複数の水洗容器１０と薬液容器１１、１１とのうちから、それぞれ複数個所ずつ、任意に設定可能である。この為、複数の染色籠１３に収納したスライドガラスに貼着した試料の染色処理を並行して行なう作業が容易になる。即ち、先に処理する染色籠１３を別位置に移し替えた吊下腕２４が再び戻ってくる以前に作業者が次の染色籠１３を収納した貯液容器を基板（上板９、下板８）上に設置したり、染色処理の終了時に、先に染色処理を終了した染色籠１３を収納した貯液容器を、後から染色処理を終了する染色籠１３が送られてくる以前に取り出す必要もなくなる。
【００２６】
尚、図示の例では、上板９をキャビネット７を構成するフレームに対して固定し、下側移動空間２６と上側移動空間２８との双方の高さ寸法Ｈ26、Ｈ28を、染色籠１３を吊した上記吊下腕２４を、この染色籠１３の下端部を上記各容器１０、１１の上端部に衝突させる事なく左右方向に移動自在なだけの大きさとしている。これに対して、上記上板９を上記フレームに対し、水平状態のまま昇降自在に支持する事もできる。そして、染色籠１３を吊した吊下腕２４が通路２９を通じて上記上板９の上方に移動した状態でこの上板９を下降させて、上側移動空間２８の高さ寸法を確保する（この状態で下側移動空間２６の高さ寸法は小さくなる）様に構成すれば、顕微鏡標本の自動染色装置の高さ寸法を小さくできる。
【００２７】
又、水洗容器１０、薬液容器１１等の貯液容器を、上下３段以上に配置する事もできる。即ち、上記上板９と下板８との間に、上板９と同様の通路２９を有する、少なくとも１枚の中間板（図示せず）を設け、この中間板の上面にも複数の薬液容器１１を載置する。この場合に、上記下側移動空間２６は上記下板８の上面に載置した水洗容器１０及び薬液容器１１、１１の上端部と上記中間板の下面との間に設ける。又、中間板の上面に載置した薬液容器１１の上端部と上記上板９の下面との間に、上記染色籠１３を吊した上記吊下腕２４を左右方向に移動自在な中間移動空間を設ける。
【００２８】
又、上記構造で、中間板をフレームに対し、水平状態のまま昇降自在に支持して、染色籠１３を吊した吊下腕２４が通路２９を通じ上記中間板の上方に移動した状態でこの中間板を下降させ、中間移動空間の高さ寸法を確保する様に構成すれば、顕微鏡標本の自動染色装置の高さ寸法を小さくできる。更に、この様な構造で、上記上板９も昇降自在にすれば、顕微鏡標本の自動染色装置の高さ寸法をより小さくできる。
【００２９】
【発明の効果】
本発明の顕微鏡標本の自動染色装置は、以上に述べた通り構成され作用するので、試料を貼着した多数枚のスライドガラスを複数の染色籠に収納した状態で、この複数の染色籠の処理を並行して行なう場合に、作業者の面倒をなくす事ができる。
【図面の簡単な説明】
【図１】本発明の実施の形態の１例を示す、自動染色装置全体を蓋体を省略した状態で示す略斜視図。
【図２】同じく染色籠の略斜視図。
【図３】蓋体を閉じた状態で自動染色装置全体を蓋体を示す略斜視図。
【図４】同じく開いた状態で示す略斜視図。
【図５】従来装置の１例を示す斜視図。
【符号の説明】
１  キャビネット
２  貯液容器
３  移動梁
４  移動柱
５  吊下腕
６  タンク
７  キャビネット
８  下板
９  上板
１０  水洗容器
１１  薬液容器
１２  ノズル
１３  染色籠
１４  収納部
１５  把手部
１６  給水マニホルド
１７  袋ナット
１８  プラグ
１９  揺動腕部
２０  係止腕部
２１  係止突起
２２  駆動装置
２３  移動柱
２４  吊下腕
２５  鉤部
２６  下側移動空間
２７  天板
２８  上側移動空間
２９  通路
３０  ガイドレール
３１  蓋体
３２  腕片
３３  隙間開口
３４  制御パネル
【図１】
0003841492.tif 000002
【図２】
0003841492.tif 000003
【図３】
0003841492.tif 000004
【図４】
0003841492.tif 000005
【図５】
0003841492.tif 000006